(57)【要約】【目的】ネットワークを介して所望エリアの衛星撮影画像と、該エリア内の地点に対応付けされて登録されているカメラ画像を取得し、該衛星撮影画像を表示すると共に、要求により所定のカメラ画像を衛星撮影画像上に表示する際に、ユーザに手間と時間をかけさせない「衛星撮影画像表示方法および衛星撮影画像表示装置」を提供することにある。【構成】衛星撮影画像上に設定された所定領域を保存し、カメラ画像表示が要求されたとき、該設定領域内に存在するマークに対応するカメラ画像を取得し、該取得したカメラ画像を１枚毎に衛星撮影画像上に順次表示する、もしくは該取得したカメラ画像を全て、あるいは表示可能な枚数のカメラ画像を衛星撮影画像上に表示する。設定領域内のカメラ画像だけでなく、建物内および人気スポット内に登録されているカメラ画像も同様に表示する。【選択図】図１
2009251720.tif 000002
【特許請求の範囲】
【請求項１】
ネットワークを介して所望エリアの衛星撮影画像と、該エリア内の地点に対応付けされて登録されているカメラ画像を取得し、表示部に該衛星撮影画像を表示すると共に、該カメラ画像登録地点にマークを表示し、要求により所定のカメラ画像を衛星撮影画像上に表示する衛星撮影画像表示方法において、
衛星撮影画像上に設定された所定区域を保存し、
カメラ画像表示が要求されたとき、前記設定区域内に存在するマークに対応するカメラ画像を取得し、
前記取得したカメラ画像を１枚毎に衛星撮影画像上に順次表示する、
ことを特徴とする衛星撮影画像表示方法。
【請求項２】
ネットワークを介して所望エリアの衛星撮影画像と、該エリア内の地点に対応付けされて登録されているカメラ画像を取得し、表示部に該衛星撮影画像を表示すると共に、該カメラ画像登録地点にマークを表示し、要求により所定のカメラ画像を衛星撮影画像上に表示する衛星撮影画像表示方法において、
衛星撮影画像上に設定された所定区域を保存し、
カメラ画像表示が要求されたとき、前記設定区域内に存在するマークに対応するカメラ画像を取得し、
前記取得したカメラ画像を全て、あるいは表示可能な枚数のカメラ画像を衛星撮影画像上に表示する、
ことを特徴とする衛星撮影画像表示方法。
【請求項３】
ネットワークを介して所望エリアの衛星撮影画像と、該エリア内の地点に対応付けされて登録されているカメラ画像を取得し、表示部に該衛星撮影画像を表示すると共に、要求により所定のカメラ画像を衛星撮影画像上に表示する衛星撮影画像表示方法において、
建物にカメラ画像特定情報を対応させた建物情報をネットワークを介して取得し、
衛星撮影画像内の所定の建物が選択されたとき、該建物に応じたカメラ画像を前記建物情報を参照して取得し、
該取得したカメラ画像を１枚毎に衛星撮影画像上に順次表示する、
ことを特徴とする衛星撮影画像表示方法。
【請求項４】
ネットワークを介して所望エリアの衛星撮影画像と、該エリア内の地点に対応付けされて登録されているカメラ画像を取得し、表示部に該衛星撮影画像を表示すると共に、要求により所定のカメラ画像を衛星撮影画像上に表示する衛星撮影画像表示方法において、
建物にカメラ画像特定情報を対応させた建物情報をネットワークを介して取得し、
衛星撮影画像内の所定の建物が選択されたとき、該建物に応じたカメラ画像を前記建物情報を参照して取得し、
前記取得したカメラ画像を全て、あるいは表示可能な枚数のカメラ画像を衛星撮影画像上に表示する、
ことを特徴とする衛星撮影画像表示方法。
【請求項５】
カメラ画像登録地点にマークを表示し、
所定のマークが指示されたとき、該指示されたマークに対応するカメラ画像が属する建物を前記建物情報より求め、
該求めた建物を前記選択された建物とする、
ことを特徴とする請求項３または4記載の衛星撮影画像表示方法。
【請求項６】
ネットワークを介して所望エリアの衛星撮影画像と、該エリア内の地点に対応付けされて登録されているカメラ画像を取得し、表示部に該衛星撮影画像を表示すると共に、要求により所定のカメラ画像を衛星撮影画像上に表示する衛星撮影画像表示方法において、
人気スポットにカメラ画像特定情報を対応させた人気スポット情報をネットワークを介して取得し、
衛星撮影画像内の所定の人気スポットが選択されたとき、該人気スポットに応じたカメラ画像を前記人気スポット情報を参照して取得し、
前記取得したカメラ画像を１枚毎に衛星撮影画像上に順次表示する、
ことを特徴とする衛星撮影画像表示方法。
【請求項７】
ネットワークを介して所望エリアの衛星撮影画像と、該エリア内の地点に対応付けされて登録されているカメラ画像を取得し、表示部に該衛星撮影画像を表示すると共に、要求により所定のカメラ画像を衛星撮影画像上に表示する衛星撮影画像表示方法において、
人気スポットにカメラ画像特定情報を対応させた人気スポット情報をネットワークを介して取得し、
衛星撮影画像内の所定の人気スポットが選択されたとき、該人気スポットに応じたカメラ画像を前記人気スポット情報を参照して取得し、
前記取得したカメラ画像を全て、あるいは表示可能な枚数のカメラ画像を衛星撮影画像上に表示する、
ことを特徴とする衛星撮影画像表示方法。
【請求項８】
前記人気スポット情報に人気スポットの位置データと人気スポットマークデータを含ませ、該データを用いて前記衛星撮影画像上の人気スポット位置に前記人気スポットマークを表示し、
所定の人気スポットマークが指示されたとき、該人気スポットマークに対応する人気スポットを前記選択された人気スポットとする、
ことを特徴とする請求項６または７記載の衛星撮影画像表示方法。
【請求項９】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けされて登録されているカメラ画像を受信する受信部と、
該受信した衛星撮影画像とカメラ画像を保存する保存部と、
衛星撮影画像を表示すると共に、カメラ画像登録地点にマークを表示する表示部と、
表示部に表示されている衛星撮影画像上に所定区域を設定する区域設定部と、
カメラ画像表示が要求されたとき、前記設定区域内に存在するマークに対応するカメラ画像を取得し、該取得したカメラ画像を１枚毎に衛星撮影画像上に順次表示する制御を行う表示制御部と、
を有することを特徴とする衛星撮影画像表示装置。
【請求項１０】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けされて登録されているカメラ画像を受信する受信部と、
該受信した衛星撮影画像とカメラ画像を保存する保存部と、
衛星撮影画像を表示すると共に、カメラ画像登録地点にマークを表示する表示部と、
表示部に表示されている衛星撮影画像上に所定区域を設定する区域設定部と、
カメラ画像表示が要求されたとき、前記設定区域内に存在するマークに対応するカメラ画像を取得し、該取得したカメラ画像を全て、あるいは表示可能な枚数のカメラ画像を衛星撮影画像上に表示する制御を行う表示制御部と、
を有することを特徴とする衛星撮影画像表示装置。
【請求項１１】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けられて登録されているカメラ画像と、該エリア内の建物にカメラ画像特定データ情報を対応させた建物情報とを受信する受信部と、
該受信した衛星撮影画像とカメラ画像と建物情報を保存する保存部と、
衛星撮影画像を表示すると共に、カメラ画像登録地点にマークを表示する表示部と、
該衛星撮影画像内の建物を選択する建物選択部と、
該衛星撮影画像内の所定の建物が前記建物選択部により選択されたとき、該建物に応じたカメラ画像を前記建物情報を参照して取得し、該取得したカメラ画像を１枚毎に該衛星撮影画像上に順次表示する制御を行う表示制御部と、
を有することを特徴とする衛星撮影画像表示装置。
【請求項１２】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けられて登録されているカメラ画像と、該エリア内の建物にカメラ画像特定情報を対応させた建物情報を受信する受信部と、
該受信した衛星撮影画像とカメラ画像と建物情報を保存する保存部と、
衛星撮影画像を表示すると共に、カメラ画像登録地点にマークを表示する表示部と、
該衛星撮影画像内の建物を選択する建物選択部と、
該衛星撮影画像内の所定の建物が選択されたときは該建物に応じたカメラ画像を前記建物情報を参照して取得し、該取得したカメラ画像を全て、あるいは表示可能な枚数のカメラ画像を該衛星撮影画像上に表示する制御を行う表示制御部と、
を有することを特徴とする衛星撮影画像表示装置。
【請求項１３】
前記表示制御部は、所定のマークが前記建物選択部により選択されたとき、該選択されたマークに対応するカメラ画像が属する建物を前記建物情報より求め、該求めた建物を前記選択された建物として前記表示制御を行う、
ことを特徴とする請求項１１または１２記載の衛星撮影画像表示装置。
【請求項１４】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けられて登録されているカメラ画像と、該エリア内の人気スポットにカメラ画像特定情報を対応させた人気スポット情報を受信する受信部と、
該受信した衛星撮影画像とカメラ画像と人気スポット情報を保存する保存部と、
衛星撮影画像を表示すると共に、カメラ画像登録地点にマークを表示する表示部と、
該衛星撮影画像内の人気スポットを選択する人気スポット選択部と、
該衛星撮影画像内の所定の人気スポットが選択されたとき、該人気スポットに応じたカメラ画像を前記人気スポット情報を参照して取得し、該取得したカメラ画像を１枚毎に該衛星撮影画像上に順次表示する制御を行う表示制御部と、
を有することを特徴とする衛星撮影画像表示装置。
【請求項１５】
ネットワークを介して所望エリアの衛星撮影画像と、該エリア内の地点に対応付けされて登録されているカメラ画像を取得し、該衛星撮影画像を表示すると共に、該カメラ画像登録地点にマークを表示し、要求により所定のカメラ画像を衛星撮影画像上に表示する衛星撮影画像表示装置において、
ネットワークを介して所望エリアの衛星撮影画像と、該エリア内の地点に対応付けられて登録されているカメラ画像と、該エリア内の人気スポットにカメラ画像特定情報を対応させた人気スポット情報とを受信する受信部と、
該受信した衛星撮影画像とカメラ画像と人気スポット情報を保存する保存部と、
衛星撮影画像を表示すると共に、カメラ画像登録地点にマークを表示する表示部と、
該衛星撮影画像内の人気スポットを選択する人気スポット選択部と、
該衛星撮影画像内の所定の人気スポットが選択されたとき、該人気スポットに応じたカメラ画像を前記人気スポット情報を参照して取得し、該取得したカメラ画像を全て、あるいは表示可能な枚数のカメラ画像を該衛星撮影画像上に表示する制御を行う表示制御部と、
を有することを特徴とする衛星撮影画像表示装置。
【請求項１６】
前記表示制御部は、前記人気スポット情報に含まれる前記人気スポットの位置データと人気スポットマークデータを用いて前記衛星撮影画像上の人気スポット位置に前記人気スポットマークを表示し、前記人気スポット選択部により前記人気スポットマークが選択されたとき、該人気スポットマークに対応する人気スポットを前記選択された人気スポットとして前記表示制御を行う、
ことを特徴とする請求項１４または１５記載の衛星撮影画像表示装置。
【発明の詳細な説明】
【技術分野】
【０００１】
本発明は、衛星撮影画像表示方法および衛星撮影画像表示装置に係り、特にネットワークを介して所望エリアの衛星撮影画像と、該エリア内の地点に対応付けされて登録されているカメラ画像を取得し、該衛星撮影画像を表示すると共に、要求により所定のカメラ画像を衛星撮影画像上に表示する衛星撮影画像表示方法および衛星撮影画像表示装置に関する。
【背景技術】
【０００２】
近年、デジタルカメラやビデオカメラのように電子化した撮影画像を出力する撮影装置が普及してきており、該撮影画像をデータベース化することによって撮影画像の保存や検索が容易になっている。一方、インターネットのようなネットワークの普及に伴ってデータを他人に容易に配信することが可能になってきている。
【０００３】
例えば、撮影場所の位置情報を対応付けた撮影画像を管理者が画像受配信サーバに設けた画像データベースに登録し、ネットワークを介して該撮影画像と該撮影画像に関する情報（例えば、撮影場所名、撮影日時等）をユーザに提供する技術（特許文献１）がある。
【０００４】
図２１は上記技術を実現する画像受配信用サーバの構成図である。この画像受配信用サーバにおいて、画像データベース２０１は撮影場所の位置情報に対応付けて撮影画像を格納し、地図データベース２０２は地図画像表示用の地図情報を格納し、関連データベース２０３は位置情報に対応付けて種々の情報を格納している。ユーザが図示しないユーザ端末より所望の地点の地図画像表示を要求すると、画像受配信用サーバ２００のサーバ処理部２０４は該要求を受信し、通信手段２０５、はネットワークＮＴを介して該ユーザ端末に要求された地点周辺の地図画像表示用の地図情報および該周辺エリア内の撮影画像情報等を送信する。これによりユーザ端末は、図２２に示すような表示画面２０６に該地点周辺エリアの地図画像ＭＰと該エリア内に登録されている撮影画像を表わすマークＣＭを表示する。かかる状態で、ユーザがマークＣＭのいずれかを選択すると、ユーザ端末は図２３に示すように該選択されたマークＣＭに対応する撮影画像ＣＭＰとＣＭＰに対応付けられた情報を表示する。このようにすれば、ユーザは所定の場所の風景等を見ることができ、有効である。
【０００５】
しかし、上記技術では管理者のみが撮影画像の登録が可能であり、ユーザは撮影画像を登録できない。このため、ユーザは管理者が登録した情報のみしか見ることができず、他のユーザがユーザ視点で撮影した画像情報を得ることができない問題がある。
【０００６】
そこで、従来技術として、管理者のみではなく、不特定多数のユーザが撮影地点の位置情報に対応付けて撮影画像（カメラ画像）を画像データベースに登録できるようにし、所定の撮影地点周辺の衛星撮影画像の表示が指示された場合、該衛星撮影画像を表示すると共に該カメラ画像を表わすマークを該衛星撮影画像上に表示し、ユーザが該マークを選択すると、該マークに対応付けられたカメラ画像を表示する技術が提案されている。このようにすれば、多くのユーザがカメラ画像を共有することができる。
【０００７】
図２４〜図２７は上記従来技術の表示例である。図２４（Ａ）、図２５（Ａ）、図２６（Ａ）、図２７（Ａ）に示すように、表示画面２０６に所定エリアの衛星撮影画像を表示すると共に該エリアの地点に登録されているカメラ画像を表わすマークＣＭＩを該衛星撮影画像上の該地点に表示する。そして、ユーザがいずれか一つのＣＭＩを選択すると、図２４（Ｂ）、図２５（Ｂ）、図２６（Ｂ）、図２７（Ｂ）に示すように、選択されたＣＭＩに対応付けられた撮影画像ＣＭＩＰを表示画面２０６の一部に表示する。動画像が選択された場合には、該動画像の初期画面を表示し、再生開始の指示を選択すると該動画像を再生表示する。尚、図２４はある地点の鳥瞰図、図２５は例えば東京駅周辺のような密集地周辺の鳥瞰図、図２６は例えば東京ドームのような人気スポット周辺の平面図、図２７は例えば東京ドームのような人気スポットの鳥瞰図を示している。
【特許文献１】特開２００３−９９４５１号公報
【発明の開示】
【発明が解決しようとする課題】
【０００８】
しかし、上記従来技術では、複数のカメラ画像を閲覧するためには、表示されたカメラ画像を閉じる操作と新たなマークを選択してカメラ画像を表示させる操作を繰り返し行わなければならず、ユーザにとって手間と時間がかかるという問題があった。
【０００９】
本発明の目的は、複数のカメラ画像を閲覧する場合に、繰り返し操作を行うことなく、複数のカメラ画像を閲覧することができ、ユーザにとって時間と手間をかけることのないようにすることである。
【課題を解決するための手段】
【００１０】
上記課題は、本発明によれば、（１）衛星撮影画像上に設定された所定区域を保存し、（２）カメラ画像表示が要求されたとき、前記設定区域内に存在するマークに対応するカメラ画像を取得し、（３）前記取得したカメラ画像を1枚毎に衛星撮影画像上に順次表示する、あるいは前記取得したカメラ画像を全て、あるいは表示可能な枚数のカメラ画像を衛星撮影画像上に表示する、ことにより達成される。
【００１１】
また、上記課題は、本発明によれば、（１）建物にカメラ画像特定情報を対応させた建物情報をネットワークを介して取得し、（２）衛星撮影画像内の所定の建物が選択されたとき、該建物に応じたカメラ画像を前記建物情報を参照して取得し、（３）該取得したカメラ画像を１枚毎に衛星撮影画像上に順次表示する、あるいは前記取得したカメラ画像を全て、あるいは表示可能な枚数のカメラ画像を衛星撮影画像上に表示する、ことにより達成される。建物を選択するには、例えば建物内のカメラ画像登録地点に表示されている所定のマークを選択することにより行い、該選択されたマークに対応するカメラ画像が属する建物を前記建物情報より求めて識別する。
【００１２】
上記課題は、本発明によれば、（１）人気スポットにカメラ画像特定情報を対応させた人気スポット情報をネットワークを介して取得し、（２）衛星撮影画像内の所定の人気スポットが選択されたとき、該人気スポットに応じたカメラ画像を前記人気スポット情報を参照して取得し、（３）前記取得したカメラ画像を１枚毎に衛星撮影画像上に順次表示する、あるいは前記取得したカメラ画像を全て、あるいは表示可能な枚数のカメラ画像を衛星撮影画像上に表示する、ことにより達成される。人気スポットを選択するには、前記人気スポット情報に人気スポットの位置データと人気スポットマークデータを含ませ、該データを用いて前記衛星撮影画像上の人気スポット位置に前記人気スポットマークを表示し、所定の人気スポットマークを選択して行う。
【発明の効果】
【００１３】
本発明によれば、複数のカメラ画像を閲覧するために、所定区域を設定し、該所定区域内に登録されているカメラ画像を１枚毎に衛星撮影画像上に表示し、あるいは、該所定区域内に登録されているカメラ画像を全て、あるいは表示可能な枚数のカメラ画像を衛星撮影画像上に一度に表示するようにしたので、繰り返しの操作を行うことなく、複数のカメラ画像を閲覧することができ、ユーザに手間と時間をかけさせないようにできる。
【００１４】
本発明によれば、複数のカメラ画像を閲覧するために、建物にカメラ画像特定情報を対応させた建物情報を取得し、衛星撮影画像内の建物が選択されたとき、該建物に応じたカメラ画像を前記建物情報を参照して取得し、該取得したカメラ画像を１枚毎に衛星撮影画像上に表示し、あるいは、該取得したカメラ画像を全て、あるいは表示可能な枚数のカメラ画像を衛星撮影画像上に一度に表示するようにしたので、建物を指定するだけで、すなわち繰り返しの操作を行うことなく、複数のカメラ画像を閲覧することができ、ユーザに手間と時間をかけさせないようにできる。
本発明によれば、カメラ画像登録地点にマークを表示し、ユーザが所定のマークを選択したとき、該選択されたマークに対応するカメラ画像が属する建物を前記建物情報より求め、該求めた建物を前記選択された建物と認識するようにしたので、建物を確実に識別でき、かつ該建物に属している全カメラ画像を簡単に選択して表示することができ、ユーザに手間と時間をかけさせないようにできる。
【００１５】
本発明によれば、複数のカメラ画像を閲覧するために、人気スポットにカメラ画像特定情報を対応させた人気スポット情報を取得し、衛星撮影画像内の所定の人気スポットが選択されたとき、該人気スポットに応じたカメラ画像を前記人気スポット情報を参照して取得し、該取得したカメラ画像を１枚毎に衛星撮影画像上に表示し、あるいは、該取得したカメラ画像を全て、あるいは表示可能な枚数のカメラ画像を衛星撮影画像上に一度に表示するようにしたので、人気スポットを選択するだけで、すなわち繰り返しの操作を行うことなく、複数のカメラ画像を閲覧することができ、ユーザに手間と時間をかけさせないようにできる。
本発明によれば、前記人気スポット情報に人気スポットの位置データと人気スポットマークデータを含ませ、該データを用いて前記衛星撮影画像上の人気スポット位置に前記人気スポットマークを表示し、ユーザが所定の人気スポットマークを選択したとき、該人気スポットマークに対応する人気スポットを前記選択された人気スポットと認識するようにしたので、人気スポットを確実に識別でき、かつ該人気スポットの全カメラ画像を簡単に選択して表示することができ、ユーザに手間と時間をかけさせないようにできる。
【発明を実施するための最良の形態】
【００１６】
（Ａ）本発明の概要
図１、図２、図3、図４は本発明の概略説明図である。１（図１〜図４）は衛星撮影画像、２（図１（Ａ））は設定した領域、ＣＭＩ１〜ＣＭＩ９はカメラ画像が登録されている地点を表わすアイコン、Ｐ１〜Ｐ６はアイコンＣＭＩのそれぞれに対応する静止画像、ＰＭ１〜ＰＭ３はアイコンＣＭＩのそれぞれに対応する動画像の初期画面、Ｂｉ（ｉ＝１、２、・・・）（図２（Ａ））は衛星撮影画像内の建物、ＳＭ（図３（Ａ）、図４（Ａ））は人気スポットを表わす人気スポットマーク、Ｓ１、Ｓ２は人気スポットである。尚、図１はある地点の鳥瞰図、図２は例えば東京駅周辺のような密集地周辺の鳥瞰図、図３は例えば東京ドームのような人気スポット周辺の平面図、図４は例えば東京ドームのような人気スポットの鳥瞰図である。
【００１７】
図１（Ａ）に示すように、ユーザは図示しない入力装置によりモニタに表示されている衛星撮影画像１内の所望の領域２を設定する。かかる状態において、該入力装置により閲覧操作を行と、衛星撮影画像表示装置は図１（Ｂ）に示すように、設定した領域２内に存在するアイコンＣＭＩ１〜ＣＭＩ４に対応するカメラ画像Ｐ１〜Ｐ４を同時に表示する。
【００１８】
また、建物を含む衛星撮影画像が表示されている図２（Ａ）において、ユーザが図示しない入力装置により、建物Ｂ１を選択すれば、衛星撮影画像表示装置は図２（Ｂ）に示すように、建物Ｂ１に対応させて登録されているアイコンＣＭＩ１〜ＣＭＩ６に対応する静止画像Ｐ１〜Ｐ６とＣＭＩ７に対応する動画像ＰＭ１を同時に表示する。このとき、動画像ＰＭ１は動画像の初期画面を表示し、ユーザが入力装置により再生操作を行うと、動画像ＰＭ１を再生する。
【００１９】
また、人気スポットの衛星撮影画像（平面図）が表示されている図３（Ａ）において、図示しない入力装置により、ユーザが人気スポットマークＳＭを選択すれば、人気スポットＳ１、例えば東京ドームを選択したこととなり、衛星撮影画像表示装置は図３（Ｂ）に示すように、人気スポットＳ１に対応させて登録されているアイコンＣＭＩ１〜ＣＭＩ４に対応する静止画像Ｐ１〜Ｐ４とＣＭＩ５〜ＣＭＩ７に対応する動画像ＰＭ１〜ＰＭ３を同時に表示する。このとき、動画像ＰＭ１〜ＰＭ３は動画像の初期画面を表示し、ユーザが入力装置により所望の動画像の再生操作を行うと、該動画像を再生する。
【００２０】
また、人気スポットの衛星撮影画像（鳥瞰図）が表示されている図４（Ａ）において、図示しない入力装置により、ユーザが人気スポットマークＳＭを選択すれば、人気スポットＳ２、例えば東京ドームを選択したこととなる。しかし、この場合、登録されているカメラ画像が多く一度に表示できないので、衛星撮影画像表示装置は図４（Ｂ）に示すように、所定数（例えば６枚）の人気スポットＳ２に登録されているアイコンＣＭＩ１、ＣＭＩ２、ＣＭＩ３に対応する静止画像Ｐ１〜Ｐ３、アイコンＣＭＩ７、ＣＭＩ８、ＣＭＩ９に対応する動画像ＰＭ１〜ＰＭ３を同時に表示する。そして、所定時間もしくはユーザの所定の操作により図４（Ｃ）に示すように、表示することができなかったアイコンＣＭＩ４〜ＣＭＩ６に対応する静止画像Ｐ４〜Ｐ６を同時に表示する。
以上は、複数のカメラ画像を一括して表示する例であるが、１個ずつスライドショーのように表示することも可能である。
【００２１】
従来は複数のカメラ画像を閲覧するために、表示されたカメラ画像を閉じる操作と新たなマークを選択してカメラ画像を表示させる操作を繰り返し行わなければならなかったが、本発明によれば繰り返しの操作を行う必要はなく、領域設定により、あるいは建物選択により、あるいは人気スポット選択により複数のカメラ画像を閲覧することができ、ユーザに手間と時間をかけさせないようにできる。
【００２２】
（Ｂ）第１実施例
図５は本発明の第１実施例の衛星撮影画像表示装置の構成図である。
衛星撮影画像受配信サーバ５０とユーザ端末６０はネットワークＮＴを介して、通信を行うようになっている。
【００２３】
衛星撮影画像受配信サーバ５０において、カメラ画像データベース５１はユーザ端末６０から送られてくるユーザが撮影して登録操作を行ったカメラ画像を記憶する。すなわち、カメラ画像データベース５１はカメラアイコンＩＤに対応させて、カメラ画像を登録した位置（経緯度）を示す位置データと、該カメラ画像データをそれぞれ記憶している。衛星撮影画像データベース５２は、あらかじめ衛星が撮影した画像、例えば日本全土の地点の画像と該画像に対応する位置データを記憶している。サーバ処理部５３は、ユーザ端末６０より要求された地点周辺エリアの衛星撮影画像を衛星画像データベース５２より読み出すと共に該エリア内のカメラ画像をカメラ画像データベース５１より読み出して、通信手段５４を介して該ユーザ端末６０に送信する。通信手段５４はサーバ処理部５３とユーザ端末６０との間で画像データや各種コマンドの送受信を制御する。
【００２４】
ユーザ端末６０において、モニタ６１は衛星撮影画像受配信サーバより送られてきた衛星撮影画像やカメラ画像を表示する。入力装置６２は、例えばキーボードやマウスにより構成されており、衛星撮影画像表示操作、カメラ画像表示操作、後述するカメラ画像の登録操作や本発明の領域設定等を行う。ＣＰＵ６３は、全体の動作の制御を行うと共に、後述する本発明の衛星撮影画像表示処理やカメラ画像登録処理を行う。メモリ６４は、ネットワークＮＴを介して衛星撮影画像受配信サーバ５０より受信したカメラ画像データや衛星撮影画像データ、後述する本発明の設定領域等のさまざまなデータを記憶する。カメラ画像メモリ領域６４ａはネットワークＮＴを介して受信したカメラ画像情報（位置データ、カメラ画像データ）を図示するようにカメラアイコンＩＤに対応して記憶する。通信手段６５はＣＰＵ６３と衛星撮影画像受配信サーバ５０との間で画像データや各種コマンドの送受信を制御する。
【００２５】
次に第１実施例の全体の動作について説明を行う。図６はユーザ端末の制御フローである。
【００２６】
入力装置６２により衛星撮影画像を表示する地点を設定すれば、ＣＰＵ６３は該地点情報を衛星撮影画像受配信サーバ５０に送信し、該地点の衛星撮影画像を要求する（ステップＳ６０１）。この要求により衛星撮影画像受配信サーバ５０は要求された地点周辺エリアの衛星撮影画像と該周辺エリア内に存在するカメラ画像データをユーザ端末６０に送信する。ユーザ端末６０のＣＰＵ６３は衛星撮影画像受配信サーバ５０が送信した設定地点周辺エリアの衛星撮影画像と、該エリア内に存在するカメラ画像データを受信し、メモリ６４に記憶する（ステップＳ６０２）。
【００２７】
ついで、ＣＰＵ６３は衛星撮影画像受配信サーバ５０より受信した衛星撮影画像をモニタ６１に表示すると共に、該衛星撮影画像上のカメラ画像登録地点にカメラアイコンを表示し（ステップＳ６０３）、ユーザは入力装置６２により所望の領域を設定する（ステップＳ６０４）。すなわち、図１（Ａ）のように、ＣＰＵ６３は衛星撮影画像１を表示すると共に、衛星撮影画像１上のカメラ画像登録地点にアイコンＣＭＩ１〜ＣＭＩ４を表示し、入力装置６２により、所望の領域２を設定する。
【００２８】
その後、入力装置６２によりカメラ画像の閲覧操作を行うと（ステップＳ６０５）、ＣＰＵ６３は設定した領域内のカメラアイコンに対応付けているカメラ画像のうち所定数Ｎ枚のカメラ画像をモニタ６１に同時に表示する（ステップＳ６０６）。例えば、図１（Ｂ）に示すように設定領域２（図１（Ａ）図示）内に存在するアイコンＣＭＩ１〜ＣＩＭ４に対応するカメラ画像Ｐ１〜Ｐ４を同時に衛星撮影画像１上に表示する（Ｎ＝４）。
【００２９】
次に、ＣＰＵ６３は所定時間（例えば５秒）経過したかの監視を行い（ステップＳ６０７）、所定時間経過した場合には、モニタ６１に表示していないカメラ画像が存在するかの判断を行い（ステップＳ６０８）、表示していないカメラ画像が存在する場合にはステップＳ６０９に進み、全カメラ画像の表示が完了した場合にはステップＳ６１０に進む。
【００３０】
ステップＳ６０８において、モニタ６１に表示していないカメラ画像が存在すると判断した場合、ＣＰＵ６３は次に表示する所定数のカメラ画像を決定し、該カメラ画像を表示し（ステップＳ６０９）、ステップＳ６０７に戻る。
また、ステップＳ６０８において、モニタ６１に全カメラ画像の表示が完了したと判断した場合、ＣＰＵ６３はモニタ６１に表示していたカメラ画像を消去する（ステップＳ６１０）。尚、ステップＳ６１０において消去操作があるまで表示を継続することができる。また、ステップＳ６０６において、全カメラ画像を一度に表示することもできる。更に、ステップＳ６０８においてユーザ操作で次のＮ枚を表示するようにすることもできる。
【００３１】
上記処理フローでは、カメラ画像が衛星撮影画像受配信サーバ５０のカメラ画像データベース５１に既に登録されていることを前提に説明したが、以下にカメラ画像の登録を行うユーザ端末側の処理フローを説明する。図７は登録の処理フロー、図８はカメラ画像の登録を行っているときのモニタ６１の表示例であり、衛星撮影画像１上に登録ウィンドウを表示している。８０は登録ウィンドウ、８１は登録するカメラ画像の名称を入力する欄、８２は登録するカメラ画像の保存先（リンク先）を入力する欄、８３は登録する画像の保存場所を参照するボタン、８４、８５、８６、８７はカメラ画像の情報（経緯度、高度、撮影した日付）を入力する欄、８８は登録内容を衛星撮影画像受配信サーバに送信するための送信ボタン、８９はカメラ画像の登録を取り消すためのボタンである。
【００３２】
モニタ６１に所定エリアの衛星撮影画像を表示している状態において、ＣＰＵ６３は入力装置６２によるユーザからの登録要求があるかの監視を行い（ステップＳ７０１）、登録要求があれば、図８に示すように衛星撮影画像１上に登録ウィンドウ８０を表示する（ステップＳ７０２）。
【００３３】
しかる後、ＣＰＵ６３はユーザが登録するカメラ画像の名称と保存先を、名称入力欄８１およびリンク先入力欄８２に入力したかの監視を行い（ステップＳ７０３）、入力が終了している場合にはカメラ画像の情報、例えば、カメラアイコン表示位置やカメラ画像を撮影した日付をカメラ画像情報入力欄８４〜８７に入力したかの監視を行う（ステップＳ７０４）。カメラアイコン表示位置は、例えば、カーソルで指示することにより行う。
【００３４】
上記各情報の入力が完了すれば、送信ボタン８８による決定操作が行われたか監視し、該操作が行われると、ＣＰＵ６３は登録画面で入力した内容を衛星撮影画像受配信サーバ５０に送信する（ステップＳ７０６）。尚、取り消しボタン８９により取り消し操作が行われると、登録の処理は取り消される。
【００３５】
最後に、衛星撮影画像受配信サーバ５０はユーザ端末６０から受信したカメラ画像情報をカメラ画像データベース５１に記憶する（ステップＳ７０７）。
以上の登録処理を行うことによって、カメラ画像を不特定多数の人と共有することができる。
【００３６】
以上、第１実施例によれば、入力装置により所望の領域を設定し、該領域内のカメラ画像をＮ枚一度に表示するようにしたので、繰り返しの操作を行うことなく、複数のカメラ画像を閲覧することができ、ユーザに手間と時間をかけさせないようにできる。
【００３７】
（Ｃ）変形例
図９は第１実施例の変形例の処理フロー、図１０は第１実施例の変形例の表示例であり、図９の処理フローにおいて、図６の第１実施例の処理フローと同一部分には同一符号を付している。図９の処理フローにおいて図６の処理フローと異なる点は、設定領域２により選択されたカメラ画像を一度に表示せず一枚ずつ所定時間（例えば２秒）毎に順次切り替え表示する点である。図１０（Ｂ）のＳＳは順次切り替えられて表示されるカメラ画像である。尚、衛星撮影画像表示装置の構成は同一である。
【００３８】
ステップＳ６０１〜ステップＳ６０４までは第１実施例と同一の処理を行い、図１０（Ａ）の領域２の設定を行う。
ステップＳ６０５において、入力装置６１によりカメラ画像の閲覧操作を行うと、ＣＰＵ６３はｉ＝１として（ステップＳ９０６）、図１０（Ｂ）に示すように領域２に存在するｉ番目（ｉ＝１〜Ｎ）のカメラアイコンに応じたカメラ画像ＳＳをモニタ６１に表示し（ステップＳ９０７）、所定時間（例えば２秒）経過したら、次のカメラ画像を表示する。この処理を設定領域２内にあるカメラ画像を全て表示するまで継続する（ステップＳ９０８、Ｓ９０９、Ｓ９１１）。
【００３９】
全カメラ画像の表示が完了したら、ＣＰＵ６３はカメラ画像を消去する（ステップＳ９１０）。尚、ステップＳ９０９において消去操作があるまで設定領域２内のカメラ画像の順次切り替え表示を継続することもできる。
【００４０】
以上、本変形例によれば、入力装置により所望の領域を設定し、該領域内のカメラ画像を所定時間表示して順次切り替えて表示するようにしたので、繰り返しの操作を行うことなく、複数のカメラ画像を閲覧することができ、ユーザに手間と時間をかけさせないようにできる。
【００４１】
（Ｄ）第２実施例
図１１は第２実施例の衛星撮影画像表示装置の構成図であり、図５の第１実施例の構成図と同一部分には同一の符号を付している。異なる点は、衛星撮影画像受配信サーバ５０において、建物／カメラ画像情報を記憶するカメラ画像データベース１１１を設けた点と、ユーザ端末６０において、カメラ画像メモリ領域６４ｂを設けた点である。カメラ画像データベース１１１は、図示するように衛星撮影画像内にある建物のＩＤと該建物に属するカメラアイコン識別用のＩＤ、カメラ画像データ、アイコン位置データを対応付けて記憶している。ユーザ端末６０のカメラ画像メモリ領域６４ｂはカメラ画像データベース１１１と同様に衛星撮影画像受配信サーバ５０より受信した建物／カメラ画像情報を記憶する。
【００４２】
図１２は第２実施例のユーザ端末の処理フローである。
入力装置６２により衛星撮影画像を表示する地点を設定すると（ステップＳ１２０１）、ＣＰＵ６３は該地点情報を衛星撮影画像受配信サーバ５０に送信し、該地点の衛星撮影画像を要求する。この要求により衛星撮影画像受配信サーバ５０は要求された地点周辺エリアの衛星撮影画像と該周辺エリアに属する建物の建物／カメラ画像情報をユーザ端末６０に送信する。ユーザ端末６０のＣＰＵ６３は衛星撮影画像受配信サーバ５０より設定地点周辺エリアの衛星撮影画像と、該エリア内に存在する建物の建物／カメラ画像情報を受信し、メモリ６４に記憶する（ステップＳ１２０２）。ついで、ＣＰＵ６３は受信した衛星撮影画像をモニタ６１に表示すると共に、該衛星撮影画像上にカメラアイコンを表示する（ステップＳ１２０３、図２（Ａ）参照）。
【００４３】
かかる状態において、入力装置６２により衛星撮影画像内の建物を指定し、カメラ画像の閲覧操作を行うと（ステップＳ１２０４）、ＣＰＵ６３は該建物に登録されているカメラ画像のうち所定数Ｎ枚のカメラ画像をモニタ６１に同時に表示する（ステップＳ１２０５）。例えば、図２（Ａ）において、入力装置６２により建物Ｂ１を指定し、建物Ｂ１に登録されているカメラ画像の閲覧操作を行うと、図２（Ｂ）に示すように、アイコンＣＭＩ１〜ＣＩＭ７に対応する静止画像Ｐ１〜Ｐ６と動画像ＰＭ１を同時に衛星撮影画像１上に表示する（Ｎ＝７）。ここで、動画像ＰＭ１は初期画面が表示され、再生操作を行うと、ＣＰＵ６３は動画像ＰＭ１を再生表示する。
【００４４】
しかる後、ＣＰＵ６３は所定時間（例えば５秒）経過したかの監視を行い（ステップＳ１２０６）、所定時間経過した場合には、モニタ６１に表示していないカメラ画像が存在するかの判断を行い（ステップＳ１２０７）、表示していないカメラ画像が存在する場合にはステップＳ１２０８に進み、全カメラ画像が表示が完了した場合にはステップＳ１２０９に進む。
【００４５】
ステップＳ１２０７において、全カメラ画像の表示が完了した場合、ＣＰＵ６３は次に表示する所定数のカメラ画像を決定し、該カメラ画像を表示し（ステップＳ１２０８）、ステップＳ１２０６に戻る。
また、ステップＳ１２０７において、モニタ６１に全カメラ画像の表示が完了したと判断した場合、ＣＰＵ６３はモニタ６１に表示していたカメラ画像を消去する（ステップＳ１２０９）。尚、ステップＳ１２０９において消去操作があるまで表示を継続することができる。また、ステップＳ１２０５において、全カメラ画像を一度に表示することもできる。更に、ステップＳ１２０７においてユーザ操作で次のＮ枚を表示するようにすることもできる。
【００４６】
以上、第２実施例では建物を指定することにより、該建物に対応して登録されている全カメラ画像を表示したが、建物ではなく所定のカメラアイコンを指定することにより、該カメラアイコンが属する建物を建物／カメラ画像情報より特定し、該建物に対応して登録されている全カメラ画像を求め、閲覧操作に応じて、Ｎ枚同時に表示するように構成することもできる。
【００４７】
図１３は建物にカメラ画像を対応させて登録する場合のモニタ６１に表示する登録ウィンドウ例である。第１実施例の登録ウィンドウ（図８）と異なる点は、建物情報入力欄９０を設けた点である。建物情報入力欄９０には建物の名称等を入力して、登録するカメラ画像が所属する建物を特定する。これにより、衛星撮影画像受配信サーバ５０はカメラ画像をカメラ画像データベース１１１に、図１１に示すように建物ＩＤにカメラアイコンＩＤ、カメラ画像データ、位置データを対応付けて登録する。また、ユーザ端末６０は衛星撮影画像配信サーバ５０から受信した建物／カメラ画像情報をカメラ画像メモリ領域６４ｂに図１１に示すように記憶する。
【００４８】
以上、第２実施例によれば、建物を指定するだけで、すなわち繰り返しの操作を行うことなく、複数のカメラ画像を閲覧することができ、ユーザに手間と時間をかけさせないようにできる。
尚、第１実施例の表示機能と第２実施例の表示機能を同時に実施するように構成することができる。
【００４９】
（Ｅ）変形例
図１４は第２実施例の変形例の処理フロー、図１５は第２実施例の表示例であり、図１４の処理フローにおいて、図１２の第２実施例の処理フローと同一部分には同一符号を付している。図１４の処理フローにおいて図１２の処理フローと異なる点は、入力装置により指定された建物に属しているカメラ画像を一度に表示せず一枚ずつ所定時間（例えば２秒）毎に順次切り替え表示する点である。図１５（Ｂ）のＳＳは順次切り替えられて表示されるカメラ画像である。尚、衛星撮影画像表示装置の構成は同一である。
【００５０】
ステップＳ１２０１〜ステップＳ１２０３までは第２実施例と同一の処理を行う。ステップＳ１２０３の処理後、入力装置６２により図１５（Ａ）の建物Ｂ１を指定し、閲覧操作を行うと（ステップＳ１２０４で「ＹＥＳ」）、ＣＰＵ６３はｉ＝１とし（ステップＳ１４０５）、図１５（Ｂ）に示すように指定された建物に属するｉ番目（ｉ＝１〜Ｎ）のカメラ画像ＳＳをモニタ６１に表示し（ステップＳ１４０６）、所定時間（例えば２秒）経過したら、次のカメラ画像を表示する。この処理を建物Ｂ１に登録されているカメラ画像を全て表示するまで継続する（ステップＳ１４０７、Ｓ１４０８、Ｓ１４１０）。
【００５１】
全カメラ画像の表示が完了したら、ＣＰＵ６３はカメラ画像を消去する（ステップＳ１４０９）。尚、消去操作があるまで建物Ｂ１に登録されているカメラ画像の順次切り替え表示を継続することもできる。
【００５２】
以上、本変形例によれば、入力装置により所望の建物を指定し、該建物に登録されているカメラ画像を所定時間表示して順次切り替えて表示するようにしたので、繰り返しの操作を行うことなく複数のカメラ画像を閲覧することができ、ユーザに手間と時間をかけさせないようにできる。
【００５３】
（Ｆ）第３実施例
図１６は第３実施例の衛星撮影画像表示装置の構成図であり、図１１の第２実施例の構成図と同一部分には同一の符号を付している。異なる点は、（１）衛星撮影画像受配信サーバ５０において、人気スポット／カメラ画像情報を記憶するカメラ画像データベース１６１と人気スポット情報を記憶する人気スポットデータベース１６２を設けた点、（２）ユーザ端末に６０において、カメラ画像メモリ領域６４ｃを設けた点である。カメラ画像データベース１６１は、図示するように衛星撮影画像内にある人気スポットのＩＤと該人気スポットに属するカメラアイコン認識用のＩＤ、カメラ画像データ、アイコン位置データを対応付けて記憶している。人気スポットデータベース１６２は、人気スポットの名称、該人気スポットのＩＤ、該人気スポットの位置データ、該人気スポットのマーク画像データを対応付けて記憶している。ユーザ端末６０のカメラ画像メモリ領域６４ｃはカメラ画像データベース１６１と人気スポットデータベース１６２のデータを衛星撮影画像受配信サーバ５０より受信し、該データを統合して、人気スポット／カメラ画像情報として記憶する。
【００５４】
図１７は第３実施例のユーザ端末の処理フローである。
入力装置６２により衛星撮影画像を表示する地点を設定すると（ステップＳ１７０１）、ＣＰＵ６３は該地点情報を衛星撮影画像受配信サーバ５０に送信し、該地点の衛星撮影画像を要求する。この要求により衛星撮影画像受配信サーバ５０は要求された地点周辺エリアの衛星撮影画像と該周辺エリアに属する人気スポットの人気スポット／カメラ画像情報をユーザ端末６０に送信する。ユーザ端末６０のＣＰＵ６３は衛星撮影画像受配信サーバ５０より設定地点周囲エリアの衛星撮影画像と、該エリア内に存在する人気スポットの人気スポット／カメラ画像情報を受信し、メモリ６４に記憶する（ステップＳ１７０２）。ついで、ＣＰＵ６３は受信した衛星撮影画像をモニタ６１に表示すると共に、該衛星撮影画像上に人気スポットマークＳＭとカメラアイコンＣＭＩｉを表示する（ステップＳ１７０３）。
【００５５】
かかる状態において、入力装置６２により衛星撮影画像内の人気スポットを指定し、カメラ画像の閲覧操作を行うと（ステップＳ１７０４）、ＣＰＵ６３は該人気スポットに登録されているカメラ画像のうち所定数Ｎ枚のカメラ画像をモニタ６１に同時表示する（ステップＳ１７０５）。例えば、図３（Ａ）、図４（Ａ）において、入力装置６２により所定人気スポットの人気スポットマークＳＭを指定すると、該人気スポットに対応付けて登録されているカメラ画像を、図３（Ｂ）、図４（Ｂ）に示すように表示する。尚、図３（Ｂ）ではアイコンＣＭＩ１〜ＣＭＩ７に対応する静止画像Ｐ１〜Ｐ４と動画像ＰＭ１〜ＰＭ３を表示し、図４（Ｂ）ではアイコンＣＭＩ１〜ＣＭＩ６に対応する静止画像Ｐ１〜Ｐ３と動画像ＰＭ１〜ＰＭ３を同時に衛星撮影画像１上に表示する（図３はＮ＝７、図４はＮ＝６）。ここで、動画像ＰＭ１〜ＰＭ３は初期画面が表示され、所定の動画像の再生操作を行うと、ＣＰＵ６３は該動画像を再生表示する。
【００５６】
しかる後、ＣＰＵ６３は所定時間（例えば５秒）経過したかの監視を行い（ステップＳ１７０６）、所定時間経過した場合には、モニタ６１に表示していないカメラ画像が存在するかの判断を行い（ステップＳ１７０７）、表示していないカメラ画像が存在する場合にはステップＳ１７０８に進み、全カメラ画像の表示が完了した場合にはステップＳ１７０９に進む。
【００５７】
ステップＳ１７０７において、モニタ６１に表示していないカメラ画像が存在すると判断した場合、ＣＰＵ６３は次に表示する所定数のカメラ画像を決定し、該カメラ画像を表示し（ステップＳ１７０８）、ステップＳ１７０６に戻る。例えば、図４（Ｂ）において、表示できなかった静止画像Ｐ４〜Ｐ６を図４（Ｃ）に示すように表示する。
また、ステップＳ１７０７において、全カメラ画像の表示が完了した場合、ＣＰＵ６３はモニタ６１に表示していたカメラ画像を消去する（ステップＳ１７０９）。尚、ステップＳ１７０９において消去操作があるまで表示を継続することができる。また、ステップＳ１７０５において、全カメラ画像を一度に表示することもできる。更に、ステップＳ１７０７においてユーザ操作で次のＮ枚を表示するようにすることもできる。
【００５８】
カメラ画像を人気スポットに対応させて登録するには、第２実施例の建物情報入力欄９０（図１３参照）に替えて、人気スポット情報入力欄を表示し、該人気スポット情報入力欄に人気スポットの名称を入力し、これにより登録するカメラ画像が所属する人気スポットを特定して、カメラ画像情報と共に、衛星撮影画像受配信サーバ５０に送信する。画像受配信サーバ５０のサーバ処理部５３は、人気スポットの名称から人気スポットデータベース１６２により人気スポットＩＤを特定し、カメラ画像データベース１６１に図１６に示すように該人気スポットＩＤにカメラアイコンＩＤ，カメラ画像データ、位置データを対応付けて登録する。
【００５９】
以上、第３実施例では人気スポットマークＳＭを指定することにより、該人気スポットに対応して登録されている全カメラ画像を表示したが、人気スポットマークではなく所定のカメラアイコンを指定することにより、該カメラアイコンが属する人気スポットをカメラ画像データベース１６１より特定し、該人気スポットに対応して登録されている全カメラ画像を求め、閲覧操作に応じて、Ｎ枚同時に表示するように構成することもできる。
【００６０】
以上、第３実施例によれば、人気スポットマークを指定するだけで、すなわち繰り返しの操作を行うことなく、複数のカメラ画像を閲覧することができ、ユーザに手間と時間をかけさせないようにできる。
尚、第１実施例の表示機能と第２実施例の表示機能と第３実施例の表示機能とを同時に、もしくは組み合わせて実施するように構成することができる。
【００６１】
（Ｇ）変形例
図１８は第３実施例の変形例の処理フロー、図１９、図２０は第３実施例の変形例の表示例であり、図１８の処理フローにおいて、図１７の第３実施例の処理フローと同一部分には同一符号を付している。図１
の処理フローにおいて図１７の処理フローと異なる点は、入力装置により指定された人気スポットに属しているカメラ画像を一度に表示せず一枚ずつ所定時間（例えば２秒）毎に順次切り替え表示する点である。図１９（Ｂ）、図２０（Ｂ）のＳＳは順次切り替えられて表示されるカメラ画像である。尚、衛星撮影画像表示装置の構成は同一である。
【００６２】
ステップＳ１７０１〜ステップＳ１７０３までは第３実施例と同一の処理を行う。ステップＳ１７０３の処理後、入力装置６２により図１９（Ａ）、図２０（Ａ）の人気スポットマークＳＭを指定し、閲覧操作を行うと（ステップＳ１７０４で「ＹＥＳ」）、ＣＰＵ６３はｉ＝１とし（ステップＳ１８０５）、図１９（Ｂ）、図２０（Ｂ）に示すように指定された人気スポットに属するｉ番目（ｉ＝１〜Ｎ）のカメラ画像ＳＳをモニタ６１に表示し（ステップＳ１８０６）、所定時間（例えば２秒）経過したら、次のカメラ画像を表示する。この処理を人気スポットＳ１（図１９）、人気スポットＳ２（図２０）に登録されているカメラ画像を全て表示するまで継続する（ステップＳ１８０７、Ｓ１８０８、Ｓ１８１０）。
【００６３】
全カメラ画像の表示が完了したら、ＣＰＵ６３はカメラ画像を消去する（ステップＳ１８０９）。尚、消去操作があるまで人気スポットＳ１（図１９）、人気スポットＳ２（図２０）に登録されているカメラ画像の順次切り替え表示を継続することもできる。
【００６４】
以上、本変形例によれば、入力装置により所望の人気スポットマークを指定し、該建物に登録されているカメラ画像を所定時間表示して順次切り替えて表示するようにしたので、繰り返しの操作を行うことなく複数のカメラ画像を閲覧することができ、ユーザに手間と時間をかけさせないようにできる。
【図面の簡単な説明】
【００６５】
【図１】本発明の第１の概略説明図である。
【図２】本発明の第２の概略説明図である。
【図３】本発明の第３の概略説明図である。
【図４】本発明の第４の概略説明図である。
【図５】第１実施例の衛星撮影画像表示装置の構成図である。
【図６】第１実施例の衛星撮影画像表示装置のユーザ端末の制御フローである。
【図７】第１実施例の登録の処理フローである。
【図８】カメラ画像の登録を行っているときのモニタ６１の表示例である。
【図９】第１実施例の変形例の処理フローである。
【図１０】第１実施例の変形例の表示例である。
【図１１】第２実施例の衛星撮影画像表示装置の構成図である。
【図１２】第２実施例の衛星撮影画像表示装置のユーザ端末の処理フローである。
【図１３】建物にカメラ画像を対応させて登録する場合のモニタ６１の登録ウィンドウ表示例である。
【図１４】第２実施例の変形例の処理フローである。
【図１５】第２実施例の変形例の表示例である。
【図１６】第３実施例の衛星撮影画像表示装置の構成図である。
【図１７】第３実施例の衛星撮影画像表示装置のユーザ端末の処理フローある。
【図１８】第３実施例の変形例の処理フローである。
【図１９】第３実施例の変形例の表示例である。
【図２０】第３実施例の変形例の別の表示例である。
【図２１】第１従来技術を実現する画像受配信用サーバの構成図である。
【図２２】第１従来技術の地図の表示例である。
【図２３】第１従来技術のカメラ画像の表示例である。
【図２４】第２の従来技術の第１の表示例である。
【図２５】第２の従来技術の第２の表示例である。
【図２６】第２の従来技術の第３の表示例である。
【図２７】第２の従来技術の第４の表示例である。
【符号の説明】
【００６６】
１  衛星撮影画像
２  設定領域
５０  衛星撮影画像受配信サーバ
５１  カメラ画像データベースメモリ
６０  ユーザ端末
６２  入力装置
６４  メモリ
６４ａ  カメラ画像メモリ領域
６４ｂ  カメラ画像メモリ領域
６４ｃ  カメラ画像メモリ領域
８０  登録ウィンドウ
１１１  カメラ画像データベース
１６１  カメラ画像データベース
１６２  人気スポットデータベース
ＣＭＩｉ（ｉ＝１〜９）  カメラ画像が登録されている地点を表わすアイコン
Ｐｉ（ｉ＝１〜６）  アイコンＣＭＩｉに登録されている静止画像
ＰＭｉ（ｉ＝１〜３）  アイコンＣＭＩｉに登録されている動画像
Ｂ１  衛星撮影画像上に表示された建物
Ｓ１  衛星撮影画像上に表示された人気スポット
Ｓ２  衛星撮影画像上に表示された人気スポット
ＳＭ  人気スポットを表わすマーク
【図１】
2009251720.tif 000003
【図２】
2009251720.tif 000004
【図３】
2009251720.tif 000005
【図４】
2009251720.tif 000006
【図５】
2009251720.tif 000007
【図６】
2009251720.tif 000008
【図７】
2009251720.tif 000009
【図８】
2009251720.tif 000010
【図９】
2009251720.tif 000011
【図１０】
2009251720.tif 000012
【図１１】
2009251720.tif 000013
【図１２】
2009251720.tif 000014
【図１３】
2009251720.tif 000015
【図１４】
2009251720.tif 000016
【図１５】
2009251720.tif 000017
【図１６】
2009251720.tif 000018
【図１７】
2009251720.tif 000019
【図１８】
2009251720.tif 000020
【図１９】
2009251720.tif 000021
【図２０】
2009251720.tif 000022
【図２１】
2009251720.tif 000023
【図２２】
2009251720.tif 000024
【図２３】
2009251720.tif 000025
【図２４】
2009251720.tif 000026
【図２５】
2009251720.tif 000027
【図２６】
2009251720.tif 000028
【図２７】
2009251720.tif 000029